(57)【要約】      （修正有）【課題】繰り返し使用が可能で、高い装飾効果を有する表示装置を提供する。【解決手段】表示装置は、上部に開口を有するケーシング１と、ケーシング内に配置され、開口から光を放射可能な発光部材５と、開口を塞ぐようにケーシング１上に配置され、発光部材５から発せられる光を少なくとも水平方向に透過可能な透過部材２と、ケーシング上に着脱自在に配置され、透過部材２を水平方向に透過した光を少なくとも部分的に透過可能であり、表面に文字及び図形の少なくとも一方が表示された表示部材３と、を備えている。【選択図】図２
0003153203.tif 000002
【実用新案登録請求の範囲】
【請求項１】
上部に開口を有するケーシングと、
前記ケーシング内に配置され、前記開口から光を放射可能な発光部材と、
前記開口を塞ぐように前記ケーシング上に配置され、前記発光部材から発せられる光を少なくとも水平方向に透過可能な透過部材と、
前記ケーシング上に着脱自在に配置され、前記透過部材を水平方向に透過した光を少なくとも部分的に透過可能であり、文字及び図形の少なくとも一方が表示された表示部材と、
を備えている、表示装置。
【請求項２】
前記透過部材は、複数の板状の光透過性ガラスを水平方向に重ね合わせることで形成されている、請求項１に記載の表示装置。
【請求項３】
前記透過部材は、前記開口と対向する面及び前記表示部材と対向する面以外の少なくとも１つの面の表面粗さが荒くなっている、請求項１または２に記載の表示装置。
【請求項４】
前記ケーシング内に配置され、前記発光部材から発せられる光を、前記開口を介して、前記表示部材へ向けて反射する反射部材をさらに備えている、請求項１から３のいずれかに記載の表示装置。
【請求項５】
前記ケーシングにおいては、前記表示部材の下方に、前記発光部材から発せられる光が露出する開口が形成されている、請求項１から４のいずれかに記載の表示装置。
【請求項６】
前記ケーシングにおいては、前記表示部材の下方に、開口が形成されており、前記ケーシング内には、前記開口を介して前記表示部材に光を発する第２の発光部材が設けられている、請求項１から４のいずれかに記載の表示装置。
【考案の詳細な説明】
【技術分野】
【０００１】
本考案は、文字、図形などを表示する表示装置に関する。
【背景技術】
【０００２】
結婚式において、新郎新婦が着席する高砂には、通常、装花が置かれるが、近年は、装飾効果を高めるために、例えば、特許文献１のような装飾装置が配置される。
【先行技術文献】
【特許文献】
【０００３】
【特許文献１】登録実用新案第３１４７７２１号公報
【考案の概要】
【考案が解決しようとする課題】
【０００４】
しかしながら、上記装飾装置では、結婚式が終了すると、廃棄されることになり、コストが高くなるという問題がある。また、このような問題は、結婚式で使用する装飾装置のみならず、種々の会場で用いられる装飾装置にも起こりうる問題である。
【０００５】
本考案は、繰り返し使用が可能で、高い装飾効果を有する表示装置を提供することを目的とする。
【課題を解決するための手段】
【０００６】
本考案に係る表示装置は、上部に開口を有するケーシングと、前記ケーシング内に配置され、前記開口から光を放射可能な発光部材と、前記開口を塞ぐように前記ケーシング上に配置され、前記発光部材から発せられる光を少なくとも水平方向に透過可能な透過部材と、前記ケーシング上に着脱自在に配置され、前記透過部材を水平方向に透過した光を少なくとも部分的に透過可能であり、文字及び図形の少なくとも一方が表示された表示部材と、を備えている。
【０００７】
この構成によれば、ケーシングから発せられる光を、透過部材を介して水平に透過することで、表示部材を光が透過するようにしている。このとき、表示部材には、文字や図形が表示されているため、透過する光によって、文字や図形が浮かび上がり、メッセージを表示することができる。このように、本考案では、単に表示部材に光を照射するのではなく、その背後にある透過部材も光を受けて発光するため、装飾効果をさらに高めることができる。また、本考案においては、表示部材のみを交換することで、種々のメッセージを表示することができるため、目的に応じた表示部材に交換することにより、種々の場所において繰り返し使用することができる。よって、コストの低減を図ることができる。
【０００８】
上記考案において、透過部材は、種々の形状にすることができ、要望に応じた形状にすることで装飾効果を高めることができる。例えば、直方体形状のほか、山形、山脈状、円弧状など、種々の形状にすることができる。また、透過部材は、ブロック状のガラス、プラスチック板を用いて形成することができるほか、例えば、複数の板状の透過板を水平方向に重ね合わせて形成することができる。こうすることで、ブロック状のガラスを用いるのに比べ、低コストで透過部材を形成することができる。
【０００９】
また、透過部材は、ケーシングの開口と対向する面及び表示部材と対向する面以外の少なくとも１つの面の表面粗さを荒くすることで形成することができる。このように表面粗さを荒くすると、光の乱反射が大きくなる。そのため、発光部材から発せられる光は、透過部材の下面から入射した後、乱反射が大きい面以外の面、例えば、表示部材と対向する面から表示部材に向かって発せられる。そのため、表示部材の文字、図形がより浮き立たせられることになり、装飾効果が向上する。表面粗さを荒くするには、例えば、サンドブラスト処理により行うことができる。
【００１０】
発光部材は、透過部材の真下に配置することができるが、次のような反射部材を設けることもできる。すなわち、上記表示装置においては、ケーシング内に配置され、発光部材から発せられる光を、開口を介して、表示部材へ向けて反射する反射部材をさらに設けることができる。このような反射部材を設けると、光が表示部材に直接的に発せられることになり、表示部材の文字、図形がさらに浮き立たせられる。その結果、装飾効果がより向上する。反射部材は、例えば、板状に形成することができる。
【００１１】
また、上記ケーシングにおいては、表示部材の下方に、発光部材から発せられる光が露出する開口を形成することができる。こうすることで、発光部材からの光を表示部材に直接照射することができ、表示部材の文字などをさらに浮かび上がらせることができる。
【００１２】
あるいは、上記ケーシングにおいては、表示部材の下方に、開口を形成し、さらに、ケーシング内に、この開口を介して表示部材に光を発する第２の発光部材を設けることができる。
【考案の効果】
【００１３】
本考案に係る表示装置によれば、繰り返し使用が可能で、高い装飾効果を得ることができる。
【図面の簡単な説明】
【００１４】
【図１】本考案に係る表示装置の一実施形態を示す正面図である。
【図２】図１の断面図である。
【図３】図１において、一部断面を示す平面図である。
【図４】本考案に係る表示装置の他の例を示す断面図である。
【考案を実施するための形態】
【００１５】
以下、本考案に係る表示装置の一実施形態について図面を参照しつつ説明する。ここでは、結婚式の高砂席に配置する場合の実施形態について説明する。図１は本実施形態に係る表示装置の正面図、図２は図１の断面図、図３は図１において、一部断面を示す平面図である。
【００１６】
図１に示すように、この表示装置は、直方体状のケーシング１を備えており、その上面に、光を透過するブロック状の透過部材２と、メッセージが表示された板状の表示部材３とが配置されている。透過部材２は、ケーシング１上面の後端側に配置され、この透過部材２の前方に表示部材３が配置されている。また、図２に示すように、ケーシング１の上面には、矩形状の開口１１が形成されており、この開口１１を塞ぐように透過部材２が配置されている。また、図２及び図３に示すように、ケーシング１の内部には、板状の反射板４と、ＬＥＤからなる発光部材５が配置されている。発光部材５は、ケーシング１の幅方向に延びるように、ケーシング１内部の前側に配置され、その後側、すなわち、開口１１の直下に反射板４が配置されている。反射板４は、後方斜め下方に向けて凸の断面円弧状に形成され、発光部材５の光を、開口１１を介して前方斜め上方へ反射できるようになっている。その他、ケーシング１内には、ＬＥＤへの電流を制御する安定器６などが配置されている。
【００１７】
次に、透過部材２について説明する。透過部材２は、上面の中央がなだらかに突出するような山形に形成されている。具体的には、図１及び図２に示すように、前面及び側面からみて円弧状に形成されている。そして、透過部材２は、次のように形成される。まず、板状に形成された複数の光透過性ガラス２１を重ね合わせ、接着剤で貼り合わせる。各光透過性ガラス２１は、例えば、可視光線透過率が、９０％以上のものを用いることができる。そのような例としては、例えば、SHOTT社のB270を用いることができる。あるいは、透過部材のすべてが光を透過するものでなくてもよく、一部が光を透過するものであってもよい。また、透過部材の色は、透明のほか、乳白色などの有色であってもよい。そして、光透過性ガラス２１を重ね合わせて直方体状に形成した後、上面を山形に切削する。その後、表示部材３と対向する前面、及びケーシング１の開口１１を塞ぐ下面を除く、他の面にサンドブラスト処理を施し、磨り硝子状に形成する。このような工程により、透過部材２は、下面及び前面以外の面では、光の乱反射を生じるようになる。
【００１８】
続いて、表示部材３について説明する。図１及び図２に示すように、表示部材３は、矩形状に形成された板状の光透過性ガラスで形成されている。このガラスも上記透過部材２と同様の材料で形成されており、下面にサンドブラスト処理が施されている。表示部材３の前面には、「Happy Wedding」なる文字が形成されており、この文字は、シールなどを貼り付けたものである。また、この表示部材３は、ケーシング１の上面に配置されたＵ字型の取り付け具１２に、取り外し可能に嵌め込むようになっている。
【００１９】
次に、上記のように構成された表示装置の使用方法について説明する。まず、装置を電源に接続し、発光部材５へ電流を供給する。これにより、発光部材５から光が発せられる。この光は、反射板４により、開口１１を介して上方に反射され、透過部材２に入射する。透過部材２においては、磨り硝子状に形成されている面では光の乱反射が生じる一方、前面からは表示部材３に向けて光が透過される。そして、表示部材３に照射された光は、文字が形成された箇所以外の部分を透過するため、文字が浮かび上がるようになり、メッセージとして表示される。
【００２０】
以上のように、本実施形態によれば、ケーシング１から発せられる光を、透過部材２を介して水平に透過することで、表示部材を光が透過しているため、表示部材３の文字が浮かび上がり、メッセージを表示することができる。特に、反射板４により、光は開口１１を介して斜め前方に反射されるため、表示部材３側に効率よく光が照射される。その結果、表示部材３の表示がより明確に浮かび上がる。
【００２１】
そして、この表示装置では、単に表示部材３に光を照射するのではなく、その背後にある透過部材２も光を受けて発光するため、装飾効果を高めることができる。特に、透過部材２は、前面及び下面以外で乱反射が生じるため、装飾効果がさらに向上する。さらに、この表示装置においては、表示部材３のみを交換することで、種々のメッセージを表示することができるため、結婚式の主催者の要望に応じた表示部材３に交換することにより、何度も繰り返し使用することができる。よって、コストの低減を図ることができる。
【００２２】
以上、本考案の一実施形態について説明したが、本考案はこの実施形態に限定されるものではなく、その趣旨を逸脱しない限りにおいて種々の変更が可能である。例えば、上記実施形態では、発光部材５としてＬＥＤを用いているが、光を発することができれば、特には限定されず、蛍光灯を用いることもできる。また、着色光を発光したり、点滅などの発光方法にすることも可能である。また、発光部材５の数、位置も限定されず、反射板４を用いずに、透過部材２の真下に配置することもできる。
【００２３】
また、図４に示すように、新たな光源を設け、表示部材に直接、光を照射することもできる。図４に示す例では、ケーシング１において、表示部材３の直下に開口１３を形成する。そして、この開口１３から光が発せられるように、ケーシング内に第２の発光部材７を配置する。発光部材７は、ＬＥＤ、蛍光灯などで構成することができる。このようにすると、表示部材３の下方から光が入射するため、表示部材３の文字がさらに浮かび上がって、クリアに表示される。また、このような第２の発光部材７を設けずに、表示部材３の下方に開口１３のみを形成することもできる。この場合、ケーシング１内に予め配置してある発光部材５からの光が表示部材３に入射するため、これによっても、表示部材３の文字をクリアに表示することができる。
【００２４】
また、表示部材３は、種々の構成することができ、ケーシング１上に取り外し可能に配置でき、文字、図形などを表示できるのであれば、その形状も特には限定されない。また、文字、図形などは、シールのほか、切削によって形成することもできる。さらに、文字、図形以外の部分を磨り硝子状にして、文字、図形を光が透過するようにもできる。あるいは、文字をさらに引き立つようにするため、表示部材３に透明などの蛍光塗料を塗布することもできる。蛍光塗料は、文字の部分にのみ塗布することもできるし、文字以外の部分に塗布することもできる。そして、このような蛍光塗料を用いる場合には、発光部材としてＵＶランプなどを用いると、蛍光塗料が塗布されている箇所と、それ以外の箇所で異なる色の光が発せられるため、装飾効果がさらに向上する。
【００２５】
また、表示部材３及び透過部材２は、ガラスのほか、プラスチック板によっても形成することができる。また、ケーシング１も種々の態様が可能であり、例えば、ケーシングの壁面にガラスを埋め込み、内部の発光部材からの光をこのガラスから透過させてもよい。この場合、ガラスに文字、図形を形成すると、これらを浮き上がらせることができる。
【符号の説明】
【００２６】
１  ケーシング
１１  開口
２  透過部材
２１  光透過性ガラス
３  表示部材
４  反射板（反射部材）
５  発光部材
７  第２の発光部材
【図１】
0003153203.tif 000003
【図２】
0003153203.tif 000004
【図３】
0003153203.tif 000005
【図４】
0003153203.tif 000006